(57)【要約】  本発明は、配電盤装置若しくはラック装置であって、主給電装置に接続されるようになっている電気装置を備えており、該電気装置に、ユーザー側の少なくとも１つの配電盤（２２）若しくはラック内に収容された給電すべき機器を接続するようになっている形式のものに関する。簡単かつ確実な接続のために、本発明に基づき、ユーザー側の少なくとも１つの配電盤（２２）若しくはラック内に、若しくは別個のキャビネット（６０）若しくはラック内にサブ配電装置（１０）を配置して組立ユニットによって固定してあり、前記サブ配電装置は、主給電装置に接続されるようになっていてかつ固有のケーシング若しくは固有のフレームを有した少なくとも１つのサブ配電ユニット（１１）を備えており、該サブ配電ユニット（１１）は一方で、主給電装置（４０）へ通じる主給電線路（４１，４２，４３）に接続されるようになっていて、かつ他方で、給電すべき機器へ通じている接続線路（３０）に接続されるようになっている。
2008533965.tif 000002
【特許請求の範囲】
【請求項１】
配電盤装置若しくはラック装置であって、主給電装置に接続されるようになっている電気装置を備えており、該電気装置に、ユーザー側の少なくとも１つの配電盤（２２）若しくはラック内に収容された給電すべき機器を接続するようになっている形式のものにおいて、ユーザー側の少なくとも１つの配電盤（２２）若しくはラック内に、若しくは別個のキャビネット（６０）若しくはラック内にサブ配電装置（１０）を配置して組立ユニット（９０）によって固定してあり、前記サブ配電装置は、主給電装置に接続されるようになっていてかつ固有のケーシング若しくは固有のフレームを有した少なくとも１つのサブ配電ユニット（１１）を備えており、該サブ配電ユニット（１１）は一方で、主給電装置（４０）へ通じる主給電線路（４１，４２，４３）に接続されるようになっていて、かつ他方で、給電すべき機器へ通じている接続線路（３０）に接続されるようになっていることを特徴とする、配電盤装置若しくはラック装置。
【請求項２】
主給電線路は、１つの電力源接続ケーブル（４１）及び少なくとも１つの給電ケーブル（４２）若しくは複数の給電レール（４３）を有しており、電力源ケーブル若しくは給電ケーブル又は複数の給電レールに少なくとも１つのサブ配電ユニット（１１）を接続してある請求項１に記載の配電盤装置若しくはラック装置。
【請求項３】
サブ配電ユニット（１１）は、給電レール（４３）への接続のためのクリップ式コネクタ（４４）若しくは給電ケーブル（４２）への接続のための差込接続式コネクタユニット（４４′）を備えている請求項２に記載の配電盤装置若しくはラック装置。
【請求項４】
複数のサブ配電ユニット（１１）は、接続ケーブルを用いて差込式接続ユニットを介して互いに接続され、若しくは接続用給電レールを用いてクリップ式コネクタ（４４）を介して接続されており、前記接続ケーブルはプラグ部材若しくは差込口部材を備えている先行の請求項のいずれか１項に記載の配電盤装置若しくはラック装置。
【請求項５】
給電レール（４３）若しくは給電ケーブル（４２）は、接触防止のために接触防止部材（４５）によって覆われている請求項２から４のいずれか１項に記載の配電盤装置若しくはラック装置。
【請求項６】
サブ配電ユニット（１１）は、ヒューズ装着部分（１３．１）内に装着されたヒューズ（１３）並びに、ユーザー側の接続線路（３０）への接続のための差込式接続部（１７）を備えている先行の請求項のいずれか１項に記載の配電盤装置若しくはラック装置。
【請求項７】
ユーザー側の少なくとも１つの配電盤（２２）若しくはラック内に、１つ若しくは複数の成形条片（２１）を配置してあり、該成形条片は、該成形条片内に接触防止した状態で案内されている給電導体を備えており、該給電導体は給電すべき機器への接続のためのアダプターユニットを備えている先行の請求項のいずれか１項に記載の配電盤装置若しくはラック装置。
【請求項８】
サブ配電装置（１０）を備えているキャビネット（６０）若しくはラック内に、主給電装置として給電中断の生じない給電装置を設けてあり、該給電装置にサブ配電装置（１０）を接続してあり、若しくはサブ配電装置は電力源（４０）の故障を監視装置によって検出した場合に自動的に前記給電装置に切り換えられるようになっている先行の請求項のいずれか１項に記載の配電盤装置若しくはラック装置。
【請求項９】
複数のサブ配電ユニット（１１）は差込式接続ユニットを用いて互いに直接に接続され、若しくは予め敷設されたケーブルを介して互いに接続されるようになっており、複数のサブ配電ユニットのうちの１つだけを主給電装置（４０）に接続してある先行の請求項のいずれか１項に記載の配電盤装置若しくはラック装置。
【請求項１０】
ユーザー側のキャビネット（２０）及び／又は、サブ配電装置を備えている別個のキャビネット（６０）若しくはラックは、床部領域の正面側若しくは背面側に又は屋根領域の正面側若しくは背面側に接続線路（３０）のためのケーブル通路（５０，５１，５２）を備えており、配電盤キャビネット（２０）及び／又は別個のキャビネット（６０）若しくはラックに、接続線路（３０）の入口のための取り外し可能なカバー部材を設けてある先行の請求項のいずれか１項に記載の配電盤装置若しくはラック装置。
【請求項１１】
接続線路（３０）によって供給される電流若しくは電圧の測定及び監視のための検出装置を設けてある先行の請求項のいずれか１項に記載の配電盤装置若しくはラック装置。
【請求項１２】
保護装置を設けてあり、該保護装置はサブ配電ユニット（１１）の電気的な負荷下での挿入若しくは抜き取りを防止するように形成されている先行の請求項のいずれか１項に記載の配電盤装置若しくはラック装置。
【請求項１３】
少なくとも１つのサブ配電ユニット（１１）のケーシングのケーシング壁（１１．１）内に、ユーザー側の接続線路（３０）のプラグ部材（１７．２）の受容のための差込口部分（１７．１）を配置してあり、隣接のキャビネット側の壁若しくは隣接の組立レールに前記プラグ部材（１７．２）のための貫通開口部（６１．１）を設けてある先行の請求項のいずれか１項に記載の配電盤装置若しくはラック装置。
【請求項１４】
保護装置は、電気的な負荷の遮断のためにサブ配電ユニットの係止装置と協働するスイッチ装置を備えている請求項１２又は１３に記載の配電盤装置若しくはラック装置。
【発明の詳細な説明】
【技術分野】
【０００１】
本発明は、配電盤装置若しくはラック装置であって、主給電装置に接続されるようになっている電気装置若しくは電気設備を備えており、該電気装置若しくは電気設備は、ユーザー側（使用者側）の少なくとも１つの配電盤若しくはラック内に収容された給電すべき機器に接続されるようになっている形式のものに関する。
【０００２】
１つの電気装置（電気設備若しくは配電設備）を備えた前記形式の配電盤装置は、ドイツ連邦共和国特許出願公開第１９９１１１９６Ａ１号明細書に記載してあり、１つの電気装置から、配電盤（スイッチギアキャビネット若しくはエンクロージャー）内に配置された機器に電流を供給するようになっている。電気装置はさらに主給電装置若しくは電力源への接続部を備えている。例えば計算機センターにおいて１つの配電盤（配電箱）若しくはラック内だけではなく、必要に応じて別個の複数の配電盤若しくはラック内に種々の機器（電気機器若しくは電気消費器）を配置してある場合には、煩雑な配線作業を必要としており、この場合に大部分の接続は専門技術者によって行われねばならない。
【０００３】
ドイツ連邦共和国実用新案登録願第２９８１３６５７Ｕ１号明細書には、サーバーＰＣ用のタワー形フレームとして形成されたラックを開示してある。フレームの下方の領域には電流供給装置を配置してあり、該電流供給装置は水平に一列に並べられた電流供給モジュール及び該モジュールへの給電のためのサブ配電装置（電力補助配線装置）を備えており、サブ配電装置は電力源接続ケーブルを介して外部から電流を供給されるようになっている。電流供給モジュールはフレームの挿入スペース内に差込及び引き出し可能に収容されていて、下方の細長い中空室内を通された給電ケーブルを介してサブ分配装置に電気的に接続されている。電流供給モジュール相互の接続についての記載はなく、また機器の接続についての詳細な説明は行われていない。
【０００４】
ドイツ連邦共和国実用新案登録願第２９７１６２０１Ｕ１号明細書には、１つの配電盤キャビネット内に配置されていて給電レール及びスイッチ装置若しくは開閉装置への接続のための種々の接続装置を開示してある。
【０００５】
ドイツ連邦共和国特許出願第２５１５１５２号明細書には、エネルギー供給装置を開示してあり、該エネルギー供給装置は複数の挿入体及び接続装置若しくは接点装置を備えており、挿入体は係止されるようになっていて、かつ開閉操作若しくはスイッチ操作によって電気的に接続及び遮断されるようになっている。ドイツ連邦共和国特許出願公告第１９８２６４５３Ｃ２号明細書には、給電のために１つのキャビネット壁内に組み込まれた貫通案内アダプター（引込み線アダプター）若しくは差込口部分を記載してある。
【０００６】
本発明の課題は、冒頭に述べた形式の配電盤装置若しくはラック装置を改善して、主接続のほかに電気消費器、殊に給電すべき機器を素人若しくは一般的な作業員によっても簡単かつ容易に接続できるようにすることである。
【０００７】
前記課題を解決するために本発明の構成では、ユーザー側（使用者側）の少なくとも１つの配電盤若しくはラック内に、若しくは別個のキャビネット若しくはラック内にサブ配電装置を配置して組立ユニットによって固定してあり、前記サブ配電装置は、固有のケーシング若しくは固有のフレームを有しかつ主給電装置若しくは電力源に接続されるようになっている少なくとも１つのサブ配電ユニットを備えており、該サブ配電ユニットは一方で、主給電装置若しくは電力源へ通じる主給電線路に接続されるようになっていて、かつ他方で、給電すべき機器へ通じている予め敷設された接続線路に接続されるようになっている。
【０００８】
使用者若しくはユーザーは、サブ配電ユニット（補助配電ユニット若しくは補助分電ユニット）を主給電線路の接続部のコネクタに接続し、かつ他方でサブ配電ユニットに、給電すべき機器若しくはユーザー側のキャビネット若しくはラックへ通じる接続線路を接続するだけでよい。この場合に当該キャビネット若しくはラック内のサブ配電ユニットは、任意の種々な接続を可能にしており、これによって電気的な接続作業を装置若しくは機器の変更に応じて容易に行うことができるようになっている。
【０００９】
主給電装置若しくは電力源とサブ配電ユニットとの間の接続は、主給電線路が電力源接続ケーブル（主給電装置若しくは電力源と接続されるケーブル）及び少なくとも１つの給電ケーブル（前記電力源接続ケーブルから延びるケーブル）若しくは複数の給電レール（前記電力源接続ケーブルから延びる給電用レール状部材）を有していることによって、容易に行われ、前記電力源接続ケーブルに少なくとも１つのサブ配電ユニットを接続してある。この場合に給電ケーブルは、電力源接続ケーブルの一部分若しくは電力系統ケーブルの一部分であってよい。
【００１０】
組立にとって有利な構成を達成するために、サブ配電ユニットは、少なくとも１つの給電レールへの接続のためのクリップ式コネクタ若しくは少なくとも１つの給電ケーブルへの接続のための差込接続式コネクタユニットを備えている。
【００１１】
複数のサブ配電ユニットを予め敷設（配線）された接続ケーブル若しくは類似の連結部材又は接続用給電レールを用いて互いに接続してあり、サブ配電ユニットに差込式接続ユニット若しくはクリップ式コネクタを備えてある、つまりサブ配電ユニットの接続を差込式接続ユニット若しくはクリップ式コネクタによって行ってある場合には、サブ分配ユニットの使用者（ユーザー）の防護は、給電レール若しくは給電ケーブルを接触防止のために接触防止部材若しくはカバー部材で覆っていることによって保証されている。
【００１２】
サブ配電ユニットに、サブ配電ユニットのヒューズ装着部分内に装着されたヒューズ若しくは保護装置並びに、ユーザー側の接続線路への接続のための各差込式接続部を備えてあることによって、構成はさらに簡単になっており、この場合に差込式接続部も保護装置若しくはヒューズを有していてよく、これによって、ユーザー側のキャビネット若しくはラック内に従来設けられていた保護装置若しくはヒューズを省略することができるようになっている。
【００１３】
組立作業は、ユーザー側の少なくとも１つの配電盤若しくはラック内に、１つ若しくは複数の成形条片を配置してあり、該成形条片内に、該成形条片との接触を防止した状態で給電導体を収容してあり、該給電導体に給電すべき機器への接続のための接続可能な種々のアダプターユニットを備える、つまり該給電導体にアダプターユニットを介してアクセスするようになっていることによってさらに容易にされている。成形条片は、形材若しくは中空部材、例えば角管部材若しくは断面Ｃ字形部材によって形成されている。これによって、各成形条片当たり１つの接続部で十分であり、ユーザー側の各キャビネット若しくはラック内の接続線路の接続を簡単にしているだけではなく、使用者はキャビネット内の所定の箇所で機器の接続を差し支えなく行うことができるからである。
【００１４】
電力源若しくは電力系統の故障若しくは停電の際に機器若しくは電気消費器への電流供給を簡単な形式で確実に保証するために、有利にはサブ配電装置（補助配電装置若しくは補助分電装置）を備えているキャビネット若しくはラック内に、主給電装置として給電中断のない、つまり給電中断の生じない給電装置を設けてあり、該給電装置にサブ配電装置を接続してあり、若しくはサブ配電装置は電力源若しくは電力系統の故障を監視装置によって検出した場合に自動的に前記給電装置に切り換えられるようになっている。給電装置は例えば蓄電池若しくはバッテリーによって形成されている。
【００１５】
接続作業は、複数のサブ配電ユニットを差込式接続ユニットによって互いに直接に接続し、若しくは予め敷設されたケーブルによって互いに接続するようにしてあり、かつ複数のサブ配電ユニットのうちの１つだけを主給電装置に接続してあることによって容易に行われるようになっている。
【００１６】
簡単かつ目視可能なケーブル敷設は、ユーザー側の配電盤のキャビネットと、サブ配電装置の備えている別個のキャビネットとのうちの少なくとも何れか一方若しくはラックにおいて、キャビネット若しくはラックの床領域若しくは土台領域（ベース領域）の正面側若しくは背面側に又は屋根領域若しくは天井板領域の正面側若しくは背面側に接続線路のためのケーブル通路を備えてあり、前記配電盤のキャビネットと前記別個のキャビネットのうちの少なくとも何れか一方に若しくはラックに、接続線路の入口のための取り外し可能なカバー部材若しくはブラインドを設けてあることによって達成されている。
【００１７】
電気装置（分電装置）若しくは配電設備の保護のために、つまり過負荷若しくは過電流を防止し、かつ使用者に対して情報を表示するために、適切な処置若しくは手段を施してあり、すなわち、接続線路によって供給される電流若しくは電圧の監視及び測定のための検出装置を設けてある。これによって、給電装置のさらに使用可能な容量若しくは残余容量、或いは給電装置の拡大の必要性を使用者に表示若しくは指示できるようになっている。
【００１８】
付加的な保護作用を得るため並びに機能を保証するために、適切な処置を施してあり、すなわち保護装置（安全装置若しくはロック装置）を設けてあり、該保護装置はサブ配電ユニットの電気的な負荷下での挿入若しくは抜き取り、つまりサブ配電ユニットへ電流の流れている状態でのサブ配電ユニットの挿入若しくは抜き取りを防止するように形成されている。
【００１９】
給電すべきユーザー側の機器へ通じる接続線路の簡単な接続は、少なくとも１つのサブ配電ユニットのケーシングの１つのケーシング壁若しくは側壁内に、ユーザー側の接続線路のプラグ部材若しくは差込部材の受容のための差込口部分を配置してあり、隣接のキャビネット側の壁若しくは隣接の組立レールに前記プラグ部材若しくは差込部材のための貫通開口部（切欠き部）を設けてあることによって達成されている。このような処置によって、サブ配電ユニットを誤って主給電装置から遮断して、つまり接続解除若しくは連結解除して、サブ配電ユニットに接続されている機器への電流供給を中断してしまうようなことは確実に避けられるようになっている。
【００２０】
有利な保護装置は、負荷の遮断のためにサブ配電ユニットの係止装置と協働するスイッチ装置を備えている。
【００２１】
次に本発明を図示の実施例に基づき詳細に説明する。図面において、
図１は、電気装置を備えた配電盤装置の概略図であり、
図２Ａ及び図２Ｂは、サブ配電ユニットと主給電装置との間の接続のための互いに異なる実施例を示す図であり、
図３Ａ及び図３Ｂは、サブ配電ユニットと主給電装置との間の接続並びにサブ配電ユニット間の接続のための１つの実施例を示す図であり、
図４Ａ及び図４Ｂは、サブ配電ユニットと主給電装置との間の接続並びにサブ配電ユニット間の接続のための別の実施例を示す図であり、
図５は、電気装置を備えた配電盤装置の斜視図であり、
図６は、種々の構成要素を備えた１つのサブ配電ユニットの概略的な斜視図であり、
図７は、種々の構成要素を備えていて互いに相互に接続された若しくは電気的に結合された２つのサブ配電ユニットの概略的な平面図であり、
図８は、配電盤若しくはキャビネットの、ケーブル通路を備えた土台領域の概略的な斜視図であり、
図９、配電盤若しくはキャビネットの、ケーブル通路を備えた屋根領域の概略的な斜視図であり、
図１０は、１つのサブ配電ユニットを備えた配電盤装置の概略的な斜視図であり、
図１１は、互いに異なる主給電装置に接続された複数のサブ配電ユニットを備えた配電盤装置の概略的な斜視図であり、
図１２は、１つのサブ配電ユニットを備えた配電盤装置の別の実施例の概略的な斜視図であり、
図１３は、１つのサブ配電ユニットと複数の各キャビネット内に配置された電流供給中断の生じない給電装置とを備えた配電盤装置の概略的な斜視図であり、
図１４は、１つのサブ配電ユニット内に配置された電気装置のための監視装置の概略的な斜視図であり、
図１５は、主給電装置に接続された１つの給電ユニットの領域内の電気装置のための監視装置の概略的な斜視図であり、
図１６は、電気装置の領域の監視装置の概略的な斜視図であり、
図１７は、装着された１つのサブ配電ユニットを備えている配電盤若しくはラックの一部分の斜視図であり、
図１８は、１つのサブ配電ユニットと給電レールとの間の接続部分の側面図であり、
図１９は、１つのサブ配電ユニットを装着された状態で正面側及び上方から見た概略図であり、
図２０は、１つのサブ配電ユニットの接続部分の領域の平面及び断面を示す図である。
【００２２】
図１に示してある、電気装置若しくは配線装置を備えた配電盤装置は２つのサブ配電キャビネット６０を備えており、サブ配電キャビネット内にはサブ配電装置１０を配置してあり、サブ配電装置はサブ配電ユニット１１を備えていて、サブ配電装置１０に接続された接続線路３０を介してユーザー側の配電盤２０に接続され、つまり該キャビネット内に例えば成形条片によって形成された給電用レール２１を介して、配電盤のキャビネット２２内に収容されていて給電されるべき機器に接続されるようになっている。サブ配電装置１０は給電接続ケーブル若しくは電力源接続ケーブル４１を介して電力源４０に接続されている。両方のサブ配電キャビネット６０内に垂直方向に並べて配置された、つまり互いに上下に配置された複数の水平なサブ配電ユニット１１は、電気的な結合線路（接続導線）１２を介して互いに接続されている。サブ配電ユニット１１は、各サブ配電キャビネット６０内でそれぞれの組立ユニットを用いて機械的に保持して固定されている。組立ユニットは、キャビネットのフレーク枠と直接に結合される複数の組立構成部分、若しくはフレーク枠と組立レール若しくは組立部材を介して結合される複数の組立構成部分を有しており、組立構成部分上にサブ配電ユニット１１は対向部材を介して固定されるようになっている。有利には組立構成部分は、それぞれ水平なレール部材、つまり水平に延びるレール部材を含んでおり、レール部材上をサブ配電ユニット１１はスライドさせられるようになっている。サブ配電ユニットの確保のため、つまり位置固定のために、ねじ部材及び／又は係止結合部材若しくは手動操作可能な別の錠止部材を設けてある。サブ配電ユニットは有利には挿入ユニットとして形成されている。少なくとも１つのサブ配電ユニット１１をユーザー側のキャビネット２０内に組み込むこともできる。
【００２３】
図２Ａ及び図２Ｂに示してあるように、複数のサブ配電ユニット１１はケーブルを介して電力源接続ケーブル４１に接続されるか、若しくは直接に電力源接続ケーブルに接続されており、直接に電力源接続ケーブル４１に接続する場合には（図２Ａ）、１つのサブ配電ユニット１１だけを電力源接続ケーブル４１に接続してあり、ほかのサブ配電ユニット１１は、給電ケーブル４１に接続された前記サブ配電ユニット１１と、予め敷設された接続ケーブルを用いてサブ配電ユニットに設けられたコネクタを介して接続されるようになっており、若しくは電力源接続ケーブル４１は供給レール４３と接続されており、供給レールにサブ配電ユニット１１を接続してある。
【００２４】
所定のサブ配電ユニット１１と供給ケーブル４２との接続は、有利には簡単な差込接続部若しくは差込式コネクタを用いて行われ、給電レールは高い電流強さ、例えば１００アンペア以上の強さを可能にしている。特に給電レールは接触防止部材４５（図３Ｂ、参照）を用いて接触防止のためにカバーされるようになっていてよい。給電レール、例えば４極式の給電装置は実施例では垂直に組み付けられている。例えばプラスチックケーシングから成っている接触防止部材４５の前面若しくは正面には孔を設けてあり、該孔を通してサブ配電ユニット１１はクランプ式接続部によって給電レール４３と接続されるようになっている。例えば１９インチのケーシング若しくはフレーム内に保持されているサブ配電ユニット１１は、押し込みによってクランプ式接続部に固定される。
【００２５】
図３Ａ及び図３Ｂに示してある実施例ではサブ配電ユニット１１の背面側に給電レール部分を接触防止した状態で配置してある。給電レール部分４３の下方の端部に、クリップ式接続部４４を設けてあり、クリップ式接続部（接続クリップ）は、すでに組み立てられているサブ配電ユニット１１の給電レール部分に差し嵌めによって接続される。レール４３の被覆若しくは接触防止部材４５によって常に接触防止を保証してある。給電レール４３への電流供給は、有利には最下方の箇所に配置された１つの電流供給モジュールを介して行われるようになっている。最下方のサブ配電ユニットの給電レール部分は、クリップ式接続部４４を介して電流供給モジュールの給電レール部分と接続されるようになっている。
【００２６】
図４Ａ及び図４Ｂに示してある実施例では、給電ケーブル４２とサブ配電ユニット１１との接続は、プラグ（雄コネクタ）とスリーブ（雌コネクタ）とから成る差込式接続ユニット４４′を介して互いに直接に結合（接続）されるようになっている。最下位のサブ配電ユニット１１の差込式接続部は電力源接続ケーブル４１のコネクタに差し嵌められるようになっている。該実施例では、並んで位置するサブ配電ユニット１１間をつなぐブリッジケーブルは不要になっている。
【００２７】
図５に概略的に示してあるように、配電盤若しくはキャビネット６０内に配置されたサブ配電ユニット１１からユーザー側の成形条片２１への接続線路３０は、ユーザー側配電盤２２の正面若しくは背面の床部領域内に配置されたケーブル通路５０を通して導かれ、ケーブル通路は、連続的に延在するケーブル装置を形成している。図８に示してあるように、ケーブル通路５０はケーブル通路カバー５０．１によって覆われていてよい。ケーブル通路は、各キャビネット２２の床部若しくは土台の前若しくは後で取り外し可能に固定されていてよく、若しくはキャビネット６０の床部若しくは土台の前若しくは後で取り外し可能に固定されていてよい。図９に示してあるように、選択的に若しくは追加的に当該のキャビネット２２，６０の屋根領域にケーブル通路５１，５２を設けてあってよく、該ケーブル通路は必要に応じてケーブル通路カバー５２．１を備えていて、かつ同じく取り外し可能に形成されていてよい。カバーは、全長にわたって延びるフラップとして形成されていてよく、フラップは工具を用いて開けられるようになっていてよい。接続線路若しくはケーブル３０は、ケーブル通路５０，５１，５２内において複数の箇所で固定されるようになっていてよい。床部若しくは土台にケーブル通路５０を配置してある場合には、カバー部材（遮蔽壁若しくはブラインド）を省略してあり、若しくは開口部付きのカバー部材を設けてある。ケーブル通路５０は、背面に適切な開口部を備えており、該開口部はカバー部材の開口部と合致している。
【００２８】
図６及び図７に示してあるように、サブ配電ユニット１１は、ヒューズ差し込み部分に装着されたヒューズ１３を備えており、これによって接続線路３０のための各差込式接続部１７において過度な電流に対する保護が行われており、その結果ユーザー側のキャビネット２２内に配置すべきヒューズ（保護装置若しくは安全装置）を省略することができる。さらに電流分配装置１１は、電流分配装置相互の接続のため若しくは電力源接続ケーブル４１との接続のためのコネクタ１４，１６若しくはプラグ受容部を備えている。図７は、２つのサブ配電ユニット１１間のブリッジ１５を示しており、該ブリッジ（連結路若しくは接続路）は例えば２つの差込式接続部を備えた短いケーブルとして形成されていてよい。
【００２９】
さらにサブ配電ユニット１１内には電子式の監視装置１８を配置してある。サブ配電ユニットは、図３Ｂ及び図４Ｂから明らかであるように、適切な組立プレート１９に配置されていてよく、該組立プレート１９には給電レール部分４３も給電レール保持部材４３．１によって取り付けられている。
【００３０】
電力源４０について付言すると、有利には電流供給中断の生じない給電装置（ＵＳＶ）を設けてあり、電力源４０に接続されているサブ配電ユニット１１は、給電電圧低下を検出ユニットによって検出した場合に、前記給電装置に切り換えられるようになっており、若しくはサブ配電ユニット１１は、図１１に示してあるように予め前記給電装置に接続されている。モジュール構造で形成されていて主給電装置を成していてもよい電流供給中断のない給電装置７０においては、電子装置は例えば蓄電池から分離して１つのケーシング内に収容されており、該ケーシングは例えばサブ配電ユニット１１と同じように１９インチの寸法で形成されており、蓄電池は１つのユニットで若しくは複数のユニットで入力側レール若しくは成形条片２１内に組み込まれていてよい。冷却のために有利には水冷装置を設けてあり、水冷装置の冷却用構成要素は水によって流過されるようになっていて、低温の水の供給及び熱せられた水の排出のための管（冷却管）及び差込式接続部（差込式ジョイント）を備えており、冷却は監視されていて、制御されるようになっている。電流供給中断のない給電装置は差込式コネクタを介して、容易に交換可能な蓄電池と接続されている。
【００３１】
電気機器の簡単な接続のために、成形条片２１には種々の箇所に装着可能なアダプターユニットを設けてある。成形条片２１内における電流供給は、成形条片２１の内部に接触を防止した状態で収容された電流レール若しくは絶縁被覆されたケーブルを用いて行われる。
【００３２】
接続線路３０を介して供給される電流は、例として図１４乃至図１６に示してあるように、適切な箇所で、例えばすでに主給電装置からの給電の箇所で、若しくは給電モジュール４６で、若しくはサブ配電部分又は補助配電部分で、若しくは成形条片２１内への給電の箇所で、若しくは成形条片２１内で測定して監視されるようになっていてよい。測定信号は、その場で過負荷信号を発信して、使用者に知らせるために用いられてよい。有利には測定信号は、上位に配置された配電盤監視装置８０に送られるようになっており、該配電盤監視装置は測定信号を正確に評価して、情報のための適切なデータ及び／又はアクチュエータのための制御信号を形成するようになっている。電流若しくは電圧の測定は、変流装置若しくは変圧装置、若しくは計器用変成器、並びに有利にはＡ−Ｄ変換器を用いて、直列のインターフェースを介して測定信号の転送によって行われてよい。ヒューズ若しくは保護スイッチを同様に監視することもできる。情報は必要に応じて直列のインターフェースを介して送られるようになっている。この場合に監視は保護スイッチへの補助接続部を介して行われてよく、若しくはヒューズの前と後での電圧測定によって行われてもよい。前述の処置によって、取り扱い及び変更の容易な電気装置若しくは配線装置を可能にしているだけではなく、使用者に対する信頼性を保証している。
【００３３】
図１０乃至図１３には、配電盤装置の別の種々の実施例を示してある。図１０においては、分離された、つまり独立の１つのサブ配電キャビネット６０内に配置された１つのサブ配電ユニット１１は、電流レールを介して主給電装置から給電されるようになっていて、各接続線路３０を介して一群の４つのユーザー側のキャビネットに接続されている。図１１の実施例においては、独立の１つのサブ配電キャビネット６０内に２つのサブ配電ユニット１１を設けてあり、該各サブ配電ユニット１１はそれぞれの接続線路３０を介して各一群のそれぞれ４つのユーザー側のキャビネット２０に接続されている。つまり１つのサブ配電ユニットは、各接続線路を介して１つの群の４つのユーザー側のキャビネットに接続され、別のサブ配電ユニットは各接続線路を介して別の群の４つのユーザー側のキャビネットに接続されている。この場合に１つのサブ配電ユニットは例えば、所属の１つの群の給電レールを介して主給電装置としての電力源から給電されるようになっており、別のサブ配電ユニットは所属の別の群の給電レールを介して、主給電装置としての電流供給中断の生じない給電装置７０から給電されるようになっており、該給電装置自体は電力源ケーブル４１を介して電力源若しくは電力系統に接続されている。この実施例では、電流供給中断のない給電装置７０は固有のキャビネット内に収容されている。電流供給中断のない給電装置を、サブ配電ユニット１１と共有のキャビネット内に収容することも考えられる。
【００３４】
図１２に示す実施例においては、１つのサブ配電ユニット１１はユーザー側のキャビネット２０内に収容されていて、各接続線路３０を介して該ユーザー側のキャビネット内の入力部並びにユーザー側の別のキャビネットに接続されている。図１２の実施例に配置と異なって、図１３の実施例では各キャビネット内に付加的に給電装置７０を収容してあり、該給電装置は、電力源の故障若しくは電力系統の停電の際に電流供給を確保するためにキャビネット内のアクチュエータ若しくは電流消費器又は電気機器に接続されている。図１０乃至図１３の実施例において、サブ配電ユニット１１は、図１乃至図９の実施例のものと同じに形成されていて、１つ若しくは複数の給電装置並びにキャビネットの入力部に接続されている。
【００３５】
図１４に示す実施例では、電気装置若しくは配電装置の監視装置をサブ配電ユニット１１内に設けてあり、サブ配電ユニットは３つの相導線と１つの中性線若しくはゼロ導体を介して主給電装置に接続されている。各相及び必要に応じて中性線に変圧装置８１及び／又は変流装置８２を設けてあり、該変圧装置及び／又は変流装置によって測定信号を検出して、１つのセンサーユニット８３に送るようになっており、該センサーユニット内で電流信号若しくは電圧信号は所定のデータに変換されて、バス接続部若しくは直列のインターフェースを介して上位配置の配電盤監視装置８０に送られるようになっている。センサーユニット８３によって所定の位相を判別するようになっており、これによって配電盤監視装置８０は適切な評価を行って、必要に応じて所定の過負荷信号を発信し、若しくはキャビネット内のアクチュエータを制御して遮断作業を行うようになっている。
【００３６】
図１５に示してあるように、単数若しくは複数のサブ配電ユニット１１に通じる給電レール４３若しくは給電ケーブル４２への給電のための給電モジュール内にも監視装置を設けてあり、監視装置は変流装置８２及び／又は変圧装置８１を備えている。この場合にもセンサーユニット８３によって受信された信号は、配電盤監視装置８０へ送られて評価されるようになっている。
【００３７】
図１６に示す実施例においては、サブ配電ユニット１１に対しても給電モジュール４６に対してもそれぞれ監視装置を図１４若しくは図１５の実施例に相応して配置してある。この場合に配電盤監視装置８０は、該配電盤監視装置に接続された両方のセンサーユニット８３のデータを評価及び処理のために受信するようになっている。配電盤監視装置８０によって受信されたデータは、遠隔監視及び遠隔制御を可能にするために、配線装置８４を介して遠隔の場所に送られ得るように配電盤監視装置８０内で処理されてよい。
【００３８】
図１７には、例えば１９インチ寸法の挿入体若しくは挿入容器として形成されていて１つの配電盤若しくはラックの内部に装着されたサブ配電ユニット１１を示してあり、該サブ配電ユニットは組立ユニット９０を用いて保持されており、該組立ユニットは、配電盤又はキャビネット若しくはラックの低位置又は底部で水平にかつ側壁に沿って延びる複数のレール部材、例えば山形部材若しくは組立条片を含んでいる。配電盤内部で鉛直に延びる給電レール４３に、サブ配電ユニットとしての挿入体１１の背面に配置されたプラグ（雄コンタクト又は雄コネクタ）４７．２のための差込口部分（雌コンタクト又は雌コネクタ）４７．１を配置してある。給電レール４３は１つ若しくは複数の組立プレート１９によって覆われており、したがって組立プレートは差込口部分４７．１のみにプラグ４７．２によってアクセスできるようにしており、つまり、プラグ（雄コンタクト）は差込口部分（雌コネクタ若しくはジャック）にのみ接触するようになっている。プラグ及び差込口ユニット（挿抜式コネクタ）４７を用いて、サブ配電ユニット１１は、該サブ配電ユニットを配電盤若しくはラックの内部内へ挿入することによって、図１８に示してあるように簡単に給電レールに確実に接続され、図１８には差込口部分４７．１とプラグ４７．２との間の接続部材４８を示してある。プラグ４７．２はサブ配電ユニット１１のケーシング若しくはハウジングの背面壁１１．２内に配置されているのに対して、差込口部分４７．１は組立プレート１９の切欠き部内に、若しくは組立プレートの裏面に配置されている。挿入体若しくは挿入容器として形成されたサブ配電ユニット１１の一義的な、つまり正確な位置決めのために、背面壁１１．２に少なくとも１つの位置決めピン１１．３を設けてあり、該位置決めピンは組立プレート１９の所定の位置に設けられた位置決め開口部１９．１内に係合するようになっている。各サブ配電ユニット１１の簡単かつ正確な挿入のために、組立ユニットの水平なレール部材は、該レール部材の取り付け位置をプラグ及び差込口部分若しくはピンの高さに対応して規定されており、この場合に取り付け位置の規定はプラグ若しくはピンとサブ配電ユニットの下面との間の距離を考慮して行われている。側方の画成部若しくは側壁（前面若しくは正面から見て左側及び右側の壁）は、サブ配電ユニットの挿入方向に対して横方向（水平方向）の正確な位置決めを保証している。図１９には、キャブネット若しくはラックの内部へ挿入された若しくは装着されたサブ配電ユニット並びにプラグ・差込口ユニット（挿抜式コネクタ）４７を正面及び上方から見て示してある。ヒューズ若しくは類似の保護装置の組立のために、例えば組立用レール装置をキャビネット若しくはケーシングの内部に設けてあってもよい。
【００３９】
図２０には、サブ配電ユニット１１の別の有利な実施例をキャビネット若しくはラックの、サブ配電ユニットの受容部領域と一緒に概略的に示してある。挿入体若しくは挿入式容器として形成されたサブ配電ユニット１１の周面壁、例えば側面側若しくは背面側の側壁１１．１内に、差込口部分１７．１から成る接続装置を設けてあり、差込口部分内にユーザー側の単数若しくは複数の接続線路３０のプラグ部材１７．２を差し込むようになっている。キャビネット側の壁６１には、サブ配電ユニットの差込口部分１７．１に対応して貫通開口部６１．１を設けてあり、貫通開口部は挿入容器としてのサブ配電ユニットの挿入された状態で該サブ配電ユニットの差込口部分と正確に合致している。プラグ部材１７．２を差込口部分１７．１内に差し込んである場合に、サブ配電ユニットは誤って引き抜かれないようになっていてよい。サブ配電ユニット１１に設けられた差込口部分及びキャビネット側の壁に設けられた貫通開口部を介して差し込まれるプラグ部材から成る接続装置によって、サブ配電ユニット１１の正確な位置での確実な接続を保証してあり、さらにサブ配電ユニットの挿入若しくは引き出しを負荷下で行うことは避けられるようになっている。サブ配電ユニットの負荷下での挿入若しくは引き出しを避けるために、サブ配電ユニット１１内にスイッチ装置若しくは係止装置を設けることも可能である。係止装置の構成は次のように行われており、つまり１つの軸に摩擦レバーを取り付けてあり、摩擦レバーはサブ配電ユニット１１の１つの側壁１１．１及びサブ配電ユニットの該側壁に相対する別の側壁の切欠部を貫通していて、サブ配電ユニット１１をキャビネット若しくはラックの隣接の側壁に係止させ、若しくはキャビネット若しくはラックに固定された部材と係止させるようになっている。サブ配電ユニット１１をキャビネット若しくはラックに係止させるための係止装置の係止作用は、係止装置の係止操作によって有効になり、係止解除操作によって係止装置は係止解除されるようになっている。これによってサブ配電ユニットは負荷のない状態若しくは電流の流れていない状態でのみ抜き取られ若しくは差し込まれるようになっている。
【図面の簡単な説明】
【００４０】
【図１】配電盤装置の概略図
【図２Ａ】サブ配電ユニットと主給電装置との間の接続のための実施例を示す図
【図２Ｂ】サブ配電ユニットと主給電装置との間の接続のための別の実施例を示す図
【図３Ａ】サブ配電ユニットと主給電装置との間の接続並びにサブ配電ユニット間の接続のための１つの実施例の側面図
【図３Ｂ】図３Ａに示す実施例の端面図
【図４Ａ】サブ配電ユニットと主給電装置との間の接続並びにサブ配電ユニット間の接続のための別の実施例の側面図
【図４Ｂ】図４Ａに示す実施例の端面図
【図５】別の実施例の配電盤装置の斜視図
【図６】種々の構成要素を備えた１つのサブ配電ユニットの概略的な斜視図
【図７】種々の構成要素を備えていて互いに相互に接続された２つのサブ配電ユニットの概略的な平面図
【図８】配電盤の、ケーブル通路を備えた土台領域の概略的な斜視図
【図９】配電盤の、ケーブル通路を備えた屋根領域の概略的な斜視図
【図１０】別の実施例の配電盤装置の概略的な斜視図
【図１１】さらに別の実施例の配電盤装置の概略的な斜視図
【図１２】配電盤装置のさらに別の実施例の概略的な斜視図
【図１３】さらに別の実施例の配電盤装置の概略的な斜視図
【図１４】監視装置の概略的な斜視図
【図１５】別の実施例の監視装置の概略的な斜視図
【図１６】さらに別の実施例の監視装置の概略的な斜視図
【図１７】１つのサブ配電ユニットを備えている配電盤若しくはラックの一部分の斜視図
【図１８】１つのサブ配電ユニットと給電レールとの間の接続部分の側面図
【図１９】１つのサブ配電ユニットを装着された状態で正面側及び上方から見た概略図
【図２０】１つのサブ配電ユニットの接続部分の領域の平面及び断面を示す図
【符号の説明】
【００４１】
１０  サブ配電装置、  １１  サブ配電ユニット、  １４，１６  コネクタ、  １７  差込式接続部、  １８  監視装置、  １９  組立プレート、  ２０  キャビネット、  ２１  成形条片、  ２２  配電盤、  ３０  接続線路、  ４０  電力源、  ４１  電力源接続ケーブル、  ４３  給電レール、  ４３．１  給電レール保持部材、  ４６  給電モジュール、  ４７．１  プラグ、  ４７．２  差込口部分、  ４８  接続部材、  ５０  ケーブル通路、  ５０．１  ケーブル通路カバー、  ６０  サブ配電キャビネット、  ７０  給電装置、  ８０  配電盤監視装置、  ８１  変圧装置、  ８２  変流装置、  ８３  センサーユニット、  ９０  組立ユニット
【図１】
2008533965.tif 000003
【図２Ａ】
2008533965.tif 000004
【図２Ｂ】
2008533965.tif 000005
【図３Ａ】
2008533965.tif 000006
【図３Ｂ】
2008533965.tif 000007
【図４Ａ】
2008533965.tif 000008
【図４Ｂ】
2008533965.tif 000009
【図５】
2008533965.tif 000010
【図６】
2008533965.tif 000011
【図７】
2008533965.tif 000012
【図８】
2008533965.tif 000013
【図９】
2008533965.tif 000014
【図１０】
2008533965.tif 000015
【図１１】
2008533965.tif 000016
【図１２】
2008533965.tif 000017
【図１３】
2008533965.tif 000018
【図１４】
2008533965.tif 000019
【図１５】
2008533965.tif 000020
【図１６】
2008533965.tif 000021
【図１７】
2008533965.tif 000022
【図１８】
2008533965.tif 000023
【図１９】
2008533965.tif 000024
【図２０】
2008533965.tif 000025
【国際調査報告】
2008533965.tif 000026
2008533965.tif 000027
2008533965.tif 000028
2008533965.tif 000029
2008533965.tif 000030
2008533965.tif 000031